(57)【特許請求の範囲】
【請求項１】
現場で構築するコンクリート製の垂直構造体での周りにＰＣａ階段を取付ける構造において、前記垂直構造体内に構造柱が埋設され、前記ＰＣａ階段は、階段部を有する階段基材に、前記構造柱と固定できる支持鋼材を埋設すると共に、前記階段基材にその内外両側面を覆う取付鋼板を固定して、内側に位置する取付鋼板からアンカー筋を突出して構成し、内側に位置する前記取付鋼板を垂直構造体の構築用型枠の一部を構成できる形状とし、外側に位置する前記取付鋼板に手摺りを取り付けたことを特徴とするＰＣａ階段の取付構造。
【請求項２】
現場で構築するコンクリート製の垂直構造体の周りにＰＣａ階段を取付ける階段の取付方法において、前記ＰＣａ階段は、階段部を有する階段基材に、前記垂直構造体に埋設する構造柱と固定できる支持鋼材を埋設すると共に、前記階段基材にその内外両側面を覆う取付鋼板を固定して、内側に位置する取付鋼板の外面にアンカー筋を突出して構成し、
(1) 基準階スラブの上方に、上方の階の構築に先行して、仮設支持柱及び垂直構造体に埋設する予定の構造柱を立設する。
(2) 所定位置にＰＣａ階段を配置し、前記ＰＣａ階段の支持鋼材を前記構造柱に固定すると共に、前記仮設支持柱を、ＰＣａ階段の外側に位置する取付鋼板に取り外し可能に取り付ける。
(3) 垂直構造体の配筋及び型枠を構築すると共に、他の次階躯体用の配筋及び型枠を構築し、コンクリートを打設し、前記アンカー筋の突出部が埋設された垂直構造体及び次階躯体を構築する。
(4) コンクリートが固化発現後、仮設支持柱を取り外し、外側に位置する取付鋼板に手摺りを取付ける。
以上の工程をとることを特徴とするＰＣａ階段の取付方法。
【請求項３】
垂直構造体の周囲に構築されるＰＣａ階段であって、該ＰＣａ階段の一側が前記垂直構造体内に埋設する構造柱に固定され、他側に手摺りが形成されるＰＣａ階段であり、斜めに配置した基板の上面に階段状に階段部を一体に形成して一体の階段基材を形成し、前記階段基材の内外両側面を取付鋼板で覆い、前記内側に位置する取付鋼板からアンカー筋の端部を突出させて突出部を形成し、前記階段基材内に、前記構造柱に固定できる突出部を有する支持鋼材を埋設し、該支持鋼材の両端部を前記両取付鋼板に夫々固定したことを特徴とするＰＣａ階段。
【請求項４】
階段基材は、上縁および／または下縁に踊り場部を連設し、踊り場部の手摺り取付面を取付鋼板で覆ったことを特徴とする請求項３記載のＰＣａ階段。
【請求項５】
内側に位置する取付鋼板は、垂直構造体構築用の型枠の一部を構成できる形状とし、手摺りを取り付ける側の取付鋼板は、上下縁部に手摺り取付用のボルトを挿通する取付孔を穿設したことを特徴とする請求項３記載のＰＣａ階段。
【請求項６】
アンカー筋は階段基材の幅方向に埋設され、該アンカー筋の一端部を、内側に位置する取付鋼板に穿設した貫通孔から突出して、突出部を構成し、他端部を外側に位置する取付鋼板に固定したことを特徴とする請求項３記載のＰＣａ階段。
【発明の詳細な説明】
【０００１】
【発明の属する技術分野】
この発明は、躯体の構築に先行して構築するＰＣａ階段の取付構造及びＰＣａ階段の取付方法並びにこれ使用するＰＣａ階段に関する。
【０００２】
【従来の技術】
従来、外部階段で、現場造成の鉄筋コンクリート製の支持壁体の周囲に、ＰＣａ階段を周り階段として、取付けていた。この場合、支持壁体のコンクリートが固化発現するまでは、ＰＣａ階段を数多くの仮設サポートなどで固定していた。また、支持壁体のコンクリート打設用の型枠を構築する際に、階段部材の階段部の上縁は階段形状に形成されていたため、その階段形状に合わせて、型枠の下側を切断加工していた。
【０００３】
また、通常、ＰＣａ階段の支持壁体の反対側の側面には、落下防止のため、腰壁状のＰＣａ手摺りを取り付けていた。この場合、予めＰＣａ階段（またはＰＣａ手摺り）に取付穴及び連通するグラウト孔を穿設しておき、ＰＣａ手摺り（またはＰＣａ階段）に突設したアンカーを取付穴に挿入した状態で両部材を保持して、グラウト孔から取付穴内にグラウトを注入充填して、ＰＣａ手摺りとＰＣａ階段とを連結固定していた。
【０００４】
【発明が解決しようとする課題】
前記従来の技術では、階段部材の階段部の上縁の階段形状に合わせて、支持壁体の型枠を構築しなければならず、型枠加工作業が煩雑となる問題点があった。
【０００５】
また、ＰＣａ階段とＰＣａ手摺りとを接合する際に、グラウト固化まで、ＰＣａ階段及びＰＣａ手摺りとを各種仮設材料で支持しなければならず、作業足場の構築及び撤去など施工が煩雑となる問題点があった。
【０００６】
【課題を解決するための手段】
然るにこの発明では、ＰＣａ階段に、垂直構造体の構造柱に固定できる支持鋼材を埋設すると共に、ＰＣａ階段に取付鋼板を設け、アンカー筋を内側に突出したので、前記従来の問題点を解決した。
【０００７】
即ちこの発明の内でＰＣａ階段の取付構造の発明は、現場で構築するコンクリート製の垂直構造体での周りにＰＣａ階段を取付ける構造において、前記垂直構造体内に構造柱が埋設され、前記ＰＣａ階段は、階段部を有する階段基材に、前記構造柱と固定できる支持鋼材を埋設すると共に、前記階段基材にその内外両側面を覆う取付鋼板を固定して、内側に位置する取付鋼板からアンカー筋を突出して構成し、内側に位置する前記取付鋼板を垂直構造体の構築用型枠の一部を構成できる形状とし、外側に位置する前記取付鋼板に手摺りを取り付けたことを特徴とするＰＣａ階段の取付構造である。
【０００８】
また、取付方法の発明は、現場で構築するコンクリート製の垂直構造体の周りにＰＣａ階段を取付ける階段の取付方法において、前記ＰＣａ階段は、階段部を有する階段基材に、前記垂直構造体に埋設する構造柱と固定できる支持鋼材を埋設すると共に、前記階段基材にその内外両側面を覆う取付鋼板を固定して、内側に位置する取付鋼板の外面にアンカー筋を突出して構成し、
(1) 基準階スラブの上方に、上方の階の構築に先行して、仮設支持柱及び垂直構造体に埋設する予定の構造柱を立設する。
(2) 所定位置にＰＣａ階段を配置し、前記ＰＣａ階段の支持鋼材を前記構造柱に固定すると共に、前記仮設支持柱を、ＰＣａ階段の外側に位置する取付鋼板に取り外し可能に取り付ける。
(3) 垂直構造体の配筋及び型枠を構築すると共に、他の次階躯体用の配筋及び型枠を構築し、コンクリートを打設し、前記アンカー筋の突出部が埋設された垂直構造体及び次階躯体を構築する。
(4) コンクリートが固化発現後、仮設支持柱を取り外し、外側に位置する取付鋼板に手摺りを取付ける。
以上の工程をとることを特徴とするＰＣａ階段の取付方法である。
【０００９】
また、ＰＣａ階段の発明は、垂直構造体の周囲に構築されるＰＣａ階段であって、該ＰＣａ階段の一側が前記垂直構造体内に埋設する構造柱に固定され、他側に手摺りが形成されるＰＣａ階段であり、斜めに配置した基板の上面に階段状に階段部を一体に形成して一体の階段基材を形成し、前記階段基材の内外両側面を取付鋼板で覆い、前記内側に位置する取付鋼板からアンカー筋の端部を突出させて突出部を形成し、前記階段基材内に、前記構造柱に固定できる突出部を有する支持鋼材を埋設し、該支持鋼材の両端部を前記両取付鋼板に夫々固定したことを特徴とするＰＣａ階段である。
【００１０】
また、他のＰＣａ階段の発明は、階段基材は、上縁および／または下縁に踊り場部を連設し、踊り場部の手摺り取付面を取付鋼板で覆ったことを特徴とするＰＣａ階段である。また、内側に位置する取付鋼板は、垂直構造体構築用の型枠の一部を構成できる形状とし、手摺りを取り付ける側の取付鋼板は、上下縁部に手摺り取付用のボルトを挿通する取付孔を穿設したことを特徴とするＰＣａ階段である。更に、アンカー筋は階段基材の幅方向に埋設され、該アンカー筋の一端部を、内側に位置する取付鋼板に穿設した貫通孔から突出して、突出部を構成し、他端部を外側に位置する取付鋼板に固定したことを特徴とするＰＣａ階段である。
【００１１】
前記における「垂直構造体」は、周囲に廻り階段を構築するので、ＰＣａ階段を安全に支持できる強度を必要とする。通常は中実の鉄筋コンクリート製の壁体であるが、中実の柱状、又は中空構造など、その構造は任意である。
【００１２】
また、前記において構造柱とは、垂直構造体の縦方向の主構造を指し、形鋼などが埋設される場合にはその形鋼をいう。鉄筋コンクリート製の垂直構造体の場合には、縦方向に配筋される構造鉄筋を指す。
【００１３】
また、前記において、内側に位置する取付鋼板とは、垂直構造体側に位置する取付鋼板を指し、外側に位置する取付鋼板とは、垂直構造体とは反対側であって、手摺りを取り付ける側の取付鋼板を指す。
【００１４】
【発明の実施の形態】
ＰＣａ階段基材１は、階段状の階段部６を有し、上踊り場７、下踊り場９が夫々一体に連設されている。ＰＣａ階段基材１内には、幅方向の支持鋼材１３、１３が埋設されている。
【００１５】
ＰＣａ階段基材１の内外側面に、ＰＣａ階段基材１の側面を沿った取付鋼板１７、１８で覆う。内側に位置する取付鋼板１７は、構築予定の支持壁体３６のコンクリート打設用型枠の一部を構成できる形状としてある。外側に位置する取付鋼板１８は、手摺り５０を取付ける為の取付孔（ねじ孔）２３、２３が、穿設されている。また、支持鋼材１３と同軸の突出部１４が取付鋼板１７の外面側に形成されている。
【００１６】
階段部６には、幅方向の構造鉄筋を兼用するアンカー筋５５、５５が埋設され、アンカー筋５５の一端部は、取付鋼板１７から突出して突出部５６が形成されている。アンカー筋５５の他端部は取付鋼板１８に固定されている。
【００１７】
以上のようにして、ＰＣａ階段３０が構成される（図６、図７）。ＰＣａ階段３０は半階分を構成し、別の半階分のＰＣａ階段３１と組み合わせて、１階分の階段を構成できる。
【００１８】
階段を構築する際には、躯体の構築に先行して、ＰＣａ階段３０、３１を配置して、先行した仮設支持柱４０、４０に外側の取付鋼板１８、１８を仮止めすると共に、先行した構造柱３８、３８に支持鋼材１３、１３の突出部１４を固定して、ＰＣａ階段３０、３１を自立させて、安全で有効幅の広い作業通路として使用できる。
【００１９】
支持壁体（垂直構造体）３６の型枠を構築する際には、取付鋼板１７が型枠の一部を構成できるので、型枠を階段部６の階段状に沿った加工を省略できる。型枠内にコンクリートを打設すれば、支持壁体３６内にアンカー筋５５の突出部５６が埋設されるので、仮設支持柱４０を取り外しても、ＰＣａ階段３０、３１は充分な耐力で取付けられる。
【００２０】
【実施例１】
図１、図３、図６、図７、図１２に基づきこの発明のＰＣａ階段の実施例を説明する。
【００２１】
ＰＣａ階段基材１は、斜めに配置した基板２の上面３に階段状の階段部６が一体に形成され、基板２の上縁４には横方向の上踊り場７が、基板２の下縁５には下踊り場９が夫々一体に連設されている。
【００２２】
前記ＰＣａ階段基材１内には、前記階段部６に沿った屈曲鉄筋１２、長さ方向、幅方向にも同様に、前記屈曲鉄筋１２を含む構造鉄筋１１、１１が埋設されている。また、前記ＰＣａ階段基材１で、基板２と上下踊り場部７、９との接合部付近に、幅方向の支持鋼材（Ｌ字断面）１３、１３が埋設されている。
【００２３】
前記ＰＣａ階段基材１の両側面に該側面を、ＰＣａ階段基材１の側面に沿った取付鋼板１７、１８で覆う。前記取付鋼板１７、１８は内面に突設したスタッドジベル２２、２２をＰＣａ階段基材１内に埋設することにより取り付けられている（図１）。
【００２４】
前記取付鋼板１７、１８の下縁１９は、ＰＣａ階段基材１の下縁１ｂより高さＨ１だけ下方に突出した状態で、ＰＣａ階段基材１の下縁１ｂと略平行に形成されている。
【００２５】
前記内側に位置する取付鋼板１７は、構築予定の支持壁体３６のコンクリート打設用型枠の一部も構成するので、支持壁体３６に対応する部分のみを覆うような形状となっている。また、外側に位置する取付鋼板１８は、手摺り取付面を覆うような形状で形成されている。即ち、上下踊り場部７、９で、躯体スラブと接合する面や、隣接するＰＣａ階段の踊り場部と接合する面には取付鋼板は設けていない。
【００２６】
また、取付鋼板１７、１８の上縁２０は、階段部６では、階段部６の頂点（踏み板の先端）を結んだ線２１より高さＨ２だけ上方に突出した状態で、前記線２１と略平行に形成されている。また、取付鋼板１７、１８の上縁２０は、上下踊り場部７、９では、踊り場部７、９の上縁より上方に位置している。
【００２７】
また、前記取付鉄板１８には、手摺り５０を取付ける為の取付孔２３、２３が、穿設されている。前記取付孔２３は、取付鉄板１８の上下踊り場部７、９及び階段部６で、ＰＣａ階段基材１の上下縁１ａ、１ｂから突出している部分に、上下で１対づつ穿設されている。
【００２８】
また、前記支持鋼材１３の一端は、外側の取付鋼板１８の内面に固定され、他端は、内側の取付鋼板１７から横方向に突出して、突出部１４を形成している。前記突出部は、取付鋼板１７に設けた透孔を貫通し、または、取付鋼板１７に、支持鋼材１３と同軸に別部材を固定して構成する（図６、図３（ａ））。
【００２９】
階段部６には、幅方向の構造鉄筋を兼用するアンカー筋５５、５５が埋設され、アンカー筋５５の一端部（支持壁体３６側）は、取付鋼板１７に穿設された貫通孔を貫通して、該貫通部分により突出部５６が形成されている。また、前記アンカー筋５５の他端部（手摺り側）は、取付鋼板１８の内面に突設された固定鉄筋５７に定着させる（結束、溶接、カプラー接続など）（図３（ｂ））。前記における固定鉄筋５７として、取付鋼板１８の外面側から取り付けたボルトを使用し、または取付鋼板の内面に鋼棒を溶接して構成することもできる。
【００３０】
前記上下踊り場部７、９は、他のＰＣａ階段の下上踊り場部９、７と夫々接合して中間踊り場又はフロア踊り場を形成する部分であり、上下踊り場部７、９で他の下上踊り場部９、７との連結面８、１０で、支持壁体３６側及び手摺り５０側の両端縁に平面Ｕ字状のアンカー２４を固定した連結用鉄板２５が夫々埋設されている。前記連結用鉄板２５は、上面２６が露出するように、上下踊り場部７、９の上面から開口２７が形成されている（図１２（ａ）（ｂ））。
【００３１】
以上のようにして、ＰＣａ階段３０を構成する（図６、図７）。前記ＰＣａ階段基材１は、上記のような形状が、各種セメント系材質で一体に形成されている。図中２８は、ＰＣａ階段３０のＰＣａ階段基材１の上面で、外側（手摺り取付側）の縁に沿って、形成された排水用の側溝２８である。
【００３２】
また、前記ＰＣａ階段３０は半階分を構成し、同様に形成した別の半階分のＰＣａ階段３１と組み合わせて、１階分の階段を構成できる（図６）。上記ＰＣａ階段３０の上踊り場７とＰＣａ階段３１の下踊り場９とで中間踊り場３３を構成し、前記ＰＣａ階段３０の下踊り場９と他のＰＣａ階段３１の上踊り場７とで、フロア踊り場３４を構成する（図６）。
【００３３】
前記実施例において、ＰＣａ階段基材は、基板２及び階段部６、上下踊り場部７、９とから構成したが、構築すべき階段の構成により、一方又は両方の踊り場部７、９を省略した構造、更に、基板２及び階段部６のみの構成とすることもできる（図示していない）。
【００３４】
また、前記実施例において、支持鋼材１３は、基板２と上下踊り場部７、９との接合部付近に、合計２本埋設したが、埋設位置、本数は、任意である（図示していない）。要は、支持鋼材１３、１３を支持壁体３６の構造柱３８、３８に取り付けた状態で、ＰＣａ階段３０、３１を仮設階段として使用でき、かつ支持壁体３６を構築した状態で、ＰＣａ手摺り５０、５０を取り付けたＰＣａ階段３０、３１を保持できれば良い。
【００３５】
【実施例２】
図１〜５、図８〜図１０に基づきこの発明の構築方法の実施例を説明する。
【００３６】
（１）  基準階      基準階Ｆ０までコンクリートが打設され、基準階スラブ３５、支持壁体３６Ａが構築されている。支持壁体３６Ａの上面３７では、両端部に埋設された構造柱３８Ａ（溝型鋼）の上端部、構造鉄筋４３、４３の上端部が夫々突設している（図８（ａ）（ｂ））。
【００３７】
また、ＰＣａ階段３０Ａの下踊り場部９が基準階スラブ３５に接合されている。また、ＰＣａ階段３０Ａ及び下方に位置するＰＣａ階段３１Ｂの外側に夫々２本ずつ仮設支持柱４０Ａ、４０Ａが並列して立設されており、前記仮設支持柱４０Ａは取付孔４１に挿入したボルトで、ＰＣａ階段３０Ａ、３１Ａの取付鋼板１８、１８に夫々取り外し可能に固定されている。
【００３８】
（２）  次に、前記支持壁体３６Ａの構造柱３８Ａ、３８Ａに連続して、上方１階分の長さの構造柱３８、３８を連結固定する。また、仮設支持柱４０Ａ、４０Ａの上縁に連続して、仮設支持柱４０、４０を夫々立設し、仮設支持柱４０をＰＣａ階段３０Ａ、３１Ａの取付鋼板１８、１８にボルトで固定する（図８（ｃ））。前記支持柱４０、４０の上端部には次階のＰＣａ階段固定用の取付孔４１が穿設されている。
【００３９】
（３）  続いて、前記ＰＣａ階段３０Ａに連続して、次階分のＰＣａ階段３０、３１を、構造柱３８、３８、仮設支持柱４０、４０に取付ける（図９（ａ））。
【００４０】
ここで、ＰＣａ階段３０、３１の支持鋼材１３の内側の突出部１４を、夫々構造柱３８、３８にボルトで固定する（図１１）。また、仮設支持柱４０の取付孔４１からのボルトで、ＰＣａ階段３０、３１の取付鋼板１８、１８に取り外し可能に取付けられる。
【００４１】
このように、構造柱３８、３８、仮設支持柱４０、４０に取り付けられたＰＣａ階段３０、３１は、作業用階段として利用できる。
【００４２】
（４）  続いて、隣接するＰＣａ階段３０、３１の上下踊り場部７、９で、開口２７、２７内に夫々共通の鉄板４７を挿入し、連結鉄板２５の上面２６に溶接して、両踊り場部７、９を固定して、隣接する両ＰＣａ階段３０、３１を連結する。このようにして、両連結鉄板２５、２５に共通の鉄板４７を溶接等で接合して開口にモルタル類を充填すれば連結が完了できるので、隣接するＰＣａ階段を確実に連結して、かつ連結作業を簡略化できる。
【００４３】
（５）  続いて、支持壁体構築用の構造鉄筋４３、４３を配筋し、コンクリート打設用の型枠４４、４４を構築する（図９（ｂ））。この際、ＰＣａ階段３０、３１の内側の取付鋼板１７、１７が型枠４４の一部を構成し、取付鋼板１７、１７間の型枠４４、４４の下縁は、前記ＰＣａ階段３０、３１の取付鋼板１７、１７の上縁２０、２０に沿って切欠き加工すればよいので（図１１、図９（ｂ））、階段状に加工する必要がなく型枠加工を簡略化でできる。
【００４４】
（６）  続いて、または支持壁体３６構築用の壁配筋作業と並行して、次階（Ｆ１）スラブまでの躯体構築用の配筋及び必要なコンクリート打設用型枠の構築する（図示していない）。
【００４５】
コンクリートを打設して、支持壁体３６を含む次階（Ｆ１）スラブ４５まで構築を完了する（図１０（ａ））。この際、ＰＣａ階段３０の下踊り場９は、次階階スラブ４５に一体に固定され、ＰＣａ階段３０の階段部６及び上踊り場部７は次階スラブ４５の上方に突出する。また、ＰＣａ階段３０、３１の支持鋼材１３、１３の突出部１４は支持壁体３６内に埋設される。
【００４６】
（７）  この状態で、前記図８（ｂ）の状態と同様となるので、以下同様の工程を繰り返して、所定階までＰＣａ階段３０、３１を取付ながら躯体も構築する。
【００４７】
（８）この発明の実施に使用するＰＣａ手摺り５０は、予めＰＣａ階段３０、３１の取付鋼板１８、１８の取付孔２３、２３に合わせてアンカー５２付きナット５１、５１を埋設し、ナット５１を内面に露出して螺孔が構成されている。また、ＰＣａ手摺り５０の外面には外装タイル５３が埋設されている（図１、図５）。
【００４８】
（９）  躯体の構築が完了した階では、仮設支持柱４０Ａ、４０をＰＣａ階段３０、３１の取付鋼板１８から取り外す。取り外しても、ＰＣａ階段３０、３１のアンカー筋５５、５５の突出部５６、５６が支持壁体３６に埋設されアンカーされているので、ＰＣａ階段３０、３１の取付耐力に支障はない。続いて、ＰＣａ手摺り５０、５０を、ＰＣａ階段３０、３１の外側に配置し、取付鋼板１８、１８の取付孔２３、２３側から、ボルト５４、５４をナット５１、５１にねじ込み、ＰＣａ手摺り５０、５０をＰＣａ階段３０、３１に固定して、ＰＣａ手摺り５０の取付が完了する（図１〜図５）。
【００４９】
この際、ボルト５４のねじ込みだけで、ＰＣａ手摺り５０を取付けできるので、従来のようなＰＣａ手摺り５０を保持しながらグラウトを注入し、更にグラウト固化まで、ＰＣａ手摺り５０を所定位置に保持し続ける必要がない。また、手摺り取付用に作業足場は不要である。
【００５０】
（１０）  他の実施例
前記において、ＰＣａ階段３０、３１は、躯体の構築に先行して、１階分先に構築したが、支持壁体３６の構造柱３８、３８、仮設支持柱４０を長く形成すれば、２階分あるいはそれ以上の階分ＰＣａ階段３０、３１を躯体に先行して構築することもできる（図示していない）。
【００５１】
前記実施例において、基準階Ｆ０からの構築を説明したが、最下階からの構築では、最下階のスラブ上に、階段構築位置に対応させて、支持壁体３６用の仮設支持柱３８、３８を立設して、ＰＣａ階段３０、３１を先行して仮設支持して、同様に躯体の構築とＰＣａ階段３０、３１の取付を行う（図示していない）。
【００５２】
【発明の効果】
この発明は、階段基材の両側面を取付鋼板で覆ったので、ＰＣａ階段の外側に手摺りを取り付ける際に手摺りとボルトで接合でき、グラウトの注入やグラウトの固化までのＰＣａ階段の保持、ＰＣａ階段の外周への作業足場の構築などを省略できる。従って、ＰＣａ階段からの作業で、手摺りの構築作業が安全にかつ効率的にできる効果がある。
【００５３】
また、ＰＣａ階段に支持鋼材を埋設したので、支持鋼材を垂直構造体の構造柱に、取付固定できるので、外周への仮設支持柱の仮設のみで、躯体の構築に先行してＰＣａ階段を構築できるでの、本設ＰＣａ階段を作業階段として利用でき、作業足場の仮設を大幅に削減できる効果がある。従って、コストダウンを図れると共に、躯体工事に先行して、障害物が無く、十分な幅を持った安全な作業通路を確保できる。
【００５４】
また、ＰＣａ階段は、支持鋼材を埋設し、側面を取付鋼板で覆ったので、ＰＣａ階段を補強して、強固なＰＣａ階段を構成し、あるいは同程度の強度であれば、ＰＣａ階段基材の材厚を薄くできる効果がある。
【００５５】
また、ＰＣａ階段は取付鋼板で覆ったので、ＰＣａ階段を製造する際に、取付鋼板が型枠の一部として使用できると共に、取付鋼板に階段部のアンカー筋を挿通する為の貫通孔を予め設けてあるので、製造時の配筋に当たり、アンカー筋を初め各鉄筋の位置決めに要する手間が省け、かつ精度良く配筋でき、品質管理が簡略化できる効果がある。
【００５６】
また、ＰＣａ階段の垂直構造体側にも階段部を覆う取付鋼板を設けたので、垂直構造体を現場構築する際、型枠の下縁を取付鋼板の上縁に合わせて加工すれば良いので、階段状の加工が不要であり、垂直構造体の型枠作業の省力化、効率化を図り、結果的にコストダウンを図ることができる効果がある。
【図面の簡単な説明】
【図１】この発明のＰＣａ階段構造の平面図である。
【図２】図１のＡ−Ａ線における断面図である。
【図３】（ａ）は図１のＢ−Ｂ線における断面図、（ｂ）は図２のＫ−Ｋ線における拡大断面図である。
【図４】図１のＣ−Ｃ線における断面図である。
【図５】（ａ）は図１のＤ−Ｄ線における断面図、（ｂ）はＥ−Ｅ線における断面図である。
【図６】この発明のＰＣａ階段の平面図である。
【図７】（ａ）側面図、（ｂ）は図６のＧ−Ｇ線における断面図である。
【図８】この発明の構築方法を説明する図で、（ａ）は平面図、（ｂ）（ｃ）は構築途中の側面図である。
【図９】同じく（ａ）（ｂ）は構築途中の側面図である。
【図１０】（ａ）は同じく側面図、（ｂ）は構築完了した状態の側面図である。
【図１１】図８（ａ）のＩ−Ｉ線における拡大断面図である。
【図１２】この発明の隣接する階段部材の踊り場の接合を表す図で、（ａ）は一部を破折した平面図、（ｂ）は（ａ）のＪ−Ｊ線における断面図である。
【符号の説明】
１  ＰＣａ階段基材
２  基板（ＰＣａ階段基材）
６  階段部（ＰＣａ階段基材）
７  上踊り場部（ＰＣａ階段基材）
８  連結面
９  下踊り場部（ＰＣａ階段基材）
１０  連結面
１３  支持鋼材
１４  支持鋼材の突出部
１７  取付鋼板（内側）
１８  取付鋼板（外側）
２３  取付孔
２４  Ｕアンカー
２５  連結鉄板
２７  開口
３０、３１  ＰＣａ階段
３０Ａ、３１Ａ  ＰＣａ階段
３３  中間踊り場
３４  フロアー踊り場
３５  基準階スラブ
３６、３６Ａ  支持壁体（垂直構造体）
３８、３８Ａ  構造柱
４０、４０Ａ  仮設支持柱
４１  取付孔（仮設支持柱）
４３  支持壁体の構造鉄筋
４４  支持壁体の型枠
４５  次階スラブ
４７  鉄板
５０  ＰＣａ手摺り
５１  ナット（螺孔）
５２  アンカー
５４  ボルト
５５  アンカー筋
５６  アンカー筋の突出部
【図１】
0004061611.tif 000002
【図２】
0004061611.tif 000003
【図３】
0004061611.tif 000004
【図４】
0004061611.tif 000005
【図５】
0004061611.tif 000006
【図６】
0004061611.tif 000007
【図７】
0004061611.tif 000008
【図８】
0004061611.tif 000009
【図９】
0004061611.tif 000010
【図１０】
0004061611.tif 000011
【図１１】
0004061611.tif 000012
【図１２】
0004061611.tif 000013